(57)【要約】【解決手段】櫛部材７を第一の刃体２に対し着脱して両櫛歯群１１，１２の取付状態を第一の刃体２に対し変更することにより、眉毛の向きの相違に応じて利用する櫛歯群１１，１２の延設方向Ｙを変えて両櫛歯群１１，１２を使い分けることができる。また、両櫛歯群１１，１２において櫛歯２７，２９の延設方向Ｙを傾斜させている。【効果】櫛付き鋏において眉毛をカットする際に使い勝手を良くすることができる。【選択図】図４
2008212202.tif 000002
【特許請求の範囲】
【請求項１】
刃縁部を有する第一の刃体と刃縁部を有する第二の刃体とを互いに開閉動可能に支持し、櫛歯群を有する櫛部材をこの第一の刃体に取り付けた鋏において、前記櫛部材は互いに性質の異なる複数の櫛歯群を有していることを特徴とする櫛付き鋏。
【請求項２】
刃縁部を有する第一の刃体と刃縁部を有する第二の刃体とを互いに開閉動可能に支持し、櫛歯群を有する櫛部材をこの第一の刃体に取り付けた鋏において、前記櫛部材に複数の櫛歯群を設け、この各櫛歯群のうちいずれかの櫛歯群を第一の刃体の刃縁部に並べることができるように第一の刃体と櫛部材との間に取付部を設けて第一の刃体に対する櫛歯群の位置を変更可能にしたことを特徴とする櫛付き鋏。
【請求項３】
前記櫛部材において取付部は各櫛歯群ごとに設けられていることを特徴とする請求項２に記載の櫛付き鋏。
【請求項４】
前記櫛部材は互いに性質の異なる複数の櫛歯群を有していることを特徴とする請求項２または請求項３に記載の櫛付き鋏。
【請求項５】
前記櫛部材において各櫛歯群のうちいずれかの特定櫛歯群を第一の刃体の刃縁部に並べた状態とその特定櫛歯群以外の特定櫛歯群を第一の刃体の刃縁部に並べた状態とでこの第一の刃体の刃縁部の延設方向に対するそれらの特定櫛歯群の櫛歯の延設方向を互いに異なるものにすることにより、各櫛歯群間の性質を異なるものにしていることを特徴とする請求項１または請求項４に記載の櫛付き鋏。
【請求項６】
刃縁部を有する第一の刃体と刃縁部を有する第二の刃体とを互いに開閉動可能に支持し、櫛歯群を有する櫛部材をこの第一の刃体に取り付け、その櫛部材の櫛歯群に第一の刃体の刃縁部を並べるとともに、第一の刃体の刃縁部と第二の刃体の刃縁部とを閉動時に互いに摺接可能にした鋏において、第一の刃体の刃縁部の延設方向に対し櫛歯群の櫛歯の延設方向を傾斜させたことを特徴とする櫛付き鋏。
【発明の詳細な説明】
【技術分野】
【０００１】
本発明は、例えば眉毛を切る際に使用する櫛付き鋏に関するものである。
【背景技術】
【０００２】
従来、下記特許文献１にかかる櫛付き鋏では、櫛が一方の刃体に対し着脱可能に取り付けられている。
【特許文献１】特開２００４−１５９９６２号公報
【発明の開示】
【発明が解決しようとする課題】
【０００３】
上記特許文献１にかかる櫛においては、各櫛歯の延設向きが一方の刃体の刃先の延設方向に対し直交している一つの櫛歯群が開示されている。そのため、眉毛の向き等の性質の相違や左眉毛の毛並みと右眉毛の毛並みとの相違などに応じて櫛歯を使い分けることができない。
【０００４】
この発明は、櫛付き鋏において例えば眉毛をカットする際に眉毛の向き等の性質の相違や左眉毛の毛並みと右眉毛の毛並みとの相違などに応じて櫛歯を使い分けることができるようにして使い勝手を良くすることを目的としている。
【課題を解決するための手段】
【０００５】
後記実施形態の図面（図１〜１０）の符号を援用して本発明を説明する。
請求項１の発明にかかる櫛付き鋏においては、刃縁部２ａを有する第一の刃体２と刃縁部３ａを有する第二の刃体３とを互いに開閉動可能に支持し、互いに性質の異なる複数の櫛歯群１１，１２を有する櫛部材７をこの第一の刃体２に取り付けている。
【０００６】
請求項１の発明では、櫛部材７において互いに性質の異なる複数の櫛歯群１１，１２を例えば眉毛Ｈの向き等の性質の相違や左眉毛Ｈの毛並みと右眉毛Ｈの毛並みとの相違などに応じて使い分けることができるので、使い勝手が良くなる。
【０００７】
請求項２の発明にかかる櫛付き鋏においては、刃縁部２ａを有する第一の刃体２と刃縁部３ａを有する第二の刃体３とを互いに開閉動可能に支持し、複数の櫛歯群１１，１２を有する櫛部材７をこの第一の刃体２に取り付け、この各櫛歯群１１，１２のうちいずれかの櫛歯群１１，１２を第一の刃体２の刃縁部２ａに並べることができるように第一の刃体２と櫛部材７との間に取付部９，１０を設けて第一の刃体２に対する櫛歯群１１，１２の位置Ｒ１１，Ｒ１２を変更可能にした。
【０００８】
請求項２の発明では、櫛部材７において複数の櫛歯群１１，１２の位置Ｒ１１，Ｒ１２を第一の刃体２に対し変更して複数の櫛歯群１１，１２を例えば眉毛Ｈの向き等の性質の相違や左眉毛Ｈの毛並みと右眉毛Ｈの毛並みとの相違などに応じて使い分けることができるので、使い勝手が良くなる。
【０００９】
請求項２の発明を前提とする請求項３の発明にかかる櫛部材７において、取付部９，１０は各櫛歯群１１，１２ごとに設けられている。
請求項３の発明では、櫛部材７において複数の櫛歯群１１，１２の位置Ｒ１１，Ｒ１２を第一の刃体２に対し容易に変更することができる。
【００１０】
請求項２または請求項３の発明を前提とする請求項４の発明において、前記櫛部材７は互いに性質の異なる複数の櫛歯群１１，１２を有している。
請求項４の発明では、櫛部材７において互いに性質の異なる複数の櫛歯群１１，１２を
例えば眉毛Ｈの向き等の性質の相違や左眉毛Ｈの毛並みと右眉毛Ｈの毛並みとの相違などに応じて使い分けることができるので、使い勝手が良くなる。
【００１１】
請求項１または請求項４の発明を前提とする請求項５の発明にかかる櫛部材７において、各櫛歯群１１，１２のうちいずれかの特定櫛歯群１１，１２を第一の刃体２の刃縁部２ａに並べた状態Ｒ１１，Ｒ１２とその特定櫛歯群１１，１２以外の特定櫛歯群１２，１１を第一の刃体２の刃縁部２ａに並べた状態Ｒ１２，Ｒ１１とでこの第一の刃体２の刃縁部２ａの延設方向Ｘに対するそれらの特定櫛歯群１１，１２の櫛歯２７，２９の延設方向Ｙを互いに異なるものにすることにより、各櫛歯群１１，１２間の性質を異なるものにしている。
【００１２】
請求項５の発明では、櫛部材７において延設方向Ｙが互いに異なる複数の櫛歯群１１，１２を例えば眉毛Ｈの向き等の性質の相違や左眉毛Ｈの毛並みと右眉毛Ｈの毛並みとの相違などに応じて使い分けることができるので、使い勝手が良くなる。
【００１３】
請求項６の発明にかかる櫛付き鋏においては、刃縁部２ａを有する第一の刃体２と刃縁部３ａを有する第二の刃体３とを互いに開閉動可能に支持し、櫛歯群１１，１２を有する櫛部材７をこの第一の刃体２に取り付け、その櫛部材７の櫛歯群１１，１２に第一の刃体２の刃縁部２ａを並べるとともに、第一の刃体２の刃縁部２ａと第二の刃体３の刃縁部３ａとを閉動時に互いに摺接可能にし、第一の刃体２の刃縁部２ａの延設方向Ｘに対し櫛歯群１１，１２の櫛歯２７，２９の延設方向Ｙを傾斜させた。
【００１４】
請求項６の発明では、櫛部材７の櫛歯群１１，１２において櫛歯２７，２９の延設方向Ｙを傾斜させたので、例えば眉毛Ｈの向き等の性質の相違や左眉毛Ｈの毛並みと右眉毛Ｈの毛並みとの相違などに応じて、櫛付き鋏を使い分けることができるので、使い勝手が良くなる。
【００１５】
次に、請求項以外の技術的思想について実施形態の図面の符号を援用して説明する。
請求項２または請求項３または請求項４の発明を前提とする第７の発明にかかる櫛部材７において、各櫛歯群１１，１２ごとに第一の刃体２が着脱可能に挿着される挿脱口部１７，２２を有する挿着溝部９，１０を取付部として設け、各櫛歯群１１，１２ごとに設けた挿着溝部９，１０のうちいずれかの特定櫛歯群１１，１２に対応する特定挿着溝部９，１０に挿着された第一の刃体２で刃縁部２ａは、この特定挿着溝部９，１０から突出してこの特定櫛歯群１１，１２に並ぶ。
【００１６】
第７の発明を前提とする第８の発明にかかる櫛部材７において、取付部としての各挿着溝部９，１０は挿着溝部９，１０に対する第一の刃体２の挿脱方向Ｘに対する周方向へ並設され、この各挿着溝部９，１０の挿脱口部１７，２２はこの挿脱方向Ｘの両側のうち一方の側で互いに隣接している。
【００１７】
第７〜８の発明では、第一の刃体２に対する櫛部材７の取付構造を簡単にすることができる。
第８の発明を前提とする第９の発明にかかる櫛部材７において、取付部としての一対の挿着溝部９，１０のうち一方の挿着溝部９から一方の櫛歯群１１を突出させるとともに他方の挿着溝部１０から他方の櫛歯群１２を突出させ、一方の挿着溝部９に第一の刃体２を挿着させた状態で第一の刃体２の刃縁部２ａの延設方向Ｘに対し一方の櫛歯群１１の櫛歯２７の延設方向Ｙを傾斜させるとともに、他方の挿着溝部１０に第一の刃体２を挿着させた状態で第一の刃体２の刃縁部２ａの延設方向Ｘに対し他方の櫛歯群１２の櫛歯２９の延設方向Ｙを傾斜させた。
【００１８】
第９の発明を前提とする第１０の発明において、一方の櫛歯群１１の櫛歯２７の延設方向Ｙは第一の刃体２の刃縁部２ａの延設方向Ｘに沿う両側のうち一方の側へ傾斜し、他方の櫛歯群１２の櫛歯２９の延設方向Ｙは第一の刃体２の刃縁部２ａの延設方向Ｘに沿う両側のうち他方の側へ傾斜する。
【００１９】
第１０の発明を前提とする第１１の発明において、第一の刃体２の刃縁部２ａの延設方向Ｘに対し一方の櫛歯群１１の櫛歯２７の延設方向Ｘがなす傾斜角度θ２７と、第一の刃体２の刃縁部２ａの延設方向Ｘに対し他方の櫛歯群１２の櫛歯２９の延設方向Ｘがなす傾斜角度θ２９とは、それぞれ、第一の刃体２の刃縁部２ａの延設方向Ｘに沿う両側のうちそれらの櫛歯２７，２９の延設方向Ｙが傾斜する側で、３０度以上８０度以下に設定されている。
【００２０】
第９の発明または第１０の発明または第１１の発明を前提とする第１２の発明において、一方の櫛歯群１１の突出向きＹ２７と他方の櫛歯群１２の突出向きＹ２９とは、互いに逆になっている。
【００２１】
第９〜１２の発明では、櫛部材７の櫛歯群１１，１２において櫛歯２７，２９の延設方向Ｙを傾斜させたので、例えば眉毛Ｈの向き等の性質の相違や左眉毛Ｈの毛並みと右眉毛Ｈの毛並みとの相違などに応じて複数の櫛歯群１１，１２を使い分けることができるので、使い勝手が良くなる。
【００２２】
請求項１から請求項６の発明のうちいずれかの請求項の発明、または第７の発明または第８の発明または第９の発明または第１０の発明または第１１の発明または第１２の発明を前提とする第１３の発明において、前記櫛部材７は一体成形されている。
【００２３】
第１３の発明では、櫛部材７を容易に成形することができるほか、櫛部材７の紛失を防止して不使用時における櫛部材７の保管を容易にすることもできる。
請求項１から請求項６の発明のうちいずれかの請求項の発明、または第７の発明または第８の発明または第９の発明または第１０の発明または第１１の発明または第１２の発明または第１３の発明を前提とする第１４の発明において、前記櫛部材７は第一の刃体２と第二の刃体３とのうち第一の刃体２にのみ取り付けられる。
【００２４】
第１４の発明では、櫛部材７の取り付け間違いを防止することができる。
【発明の効果】
【００２５】
本発明は、櫛付き鋏において眉毛等の毛をカットする際に使い勝手を良くすることができる。
【発明を実施するための最良の形態】
【００２６】
以下、本発明の一実施形態にかかる櫛付き鋏について図面を参照して説明する。
図１に示すように、この櫛付き鋏の鋏本体１においては、第一の刃体２と第二の刃体３とが開閉動中心部４よりも先端側に設けられているとともに、第一の柄部５と第二の柄部６とが開閉動中心部４よりも基端側に設けられ、この両刃体２，３と両柄部５，６とはこの開閉動中心部４を中心に回動して図１に示す開状態Ｐと図３（ａ）及び図６（ａ）に示す閉状態Ｑとを取る。この開状態Ｐでは第一の刃体２の刃縁部２ａと第二の刃体３の刃縁部３ａとが互いに離間し、この閉状態Ｑではそれらの刃縁部２ａ，３ａが互いに噛み合いながら第一の刃体２の内面と第二の刃体３の内面とが互いに摺接する。この第一の刃体２の外面には刃縁部２ａと背縁部２ｂとの間で係止溝部２ｃが刃縁部２ａに沿って形成されている。
【００２７】
図３（ａ）、図６（ａ）及び図２（ａ）（ｂ）（ｃ）（ｄ）に示すように、この櫛付き鋏の櫛部材７は、プラスチックにより一体成形され、取付部としての一対の挿着溝部９，１０を有する取付部群８と、その取付部群８の両側に配設された一対の櫛歯群１１，１２とを備えている。なお、櫛部材７をプラスチック以外の材質により一体成形してもよい。
【００２８】
図４（ｃ）及び図７（ｃ）に示すように、この取付部群８の両挿着溝部９，１０のうち、一方の挿着溝部９においては、共通の内側壁部１３の両縁部のうち一方の縁部から底壁部１４が延び、この底壁部１４から外側壁部１５が内側壁部１３と相対向して延びてそれらの内外両側壁部１３，１５間が開口部１６で開放されている。また、他方の挿着溝部１０においては、共通の内側壁部１３の両縁部のうち他方の縁部から底壁部１９が延び、この底壁部１９から外側壁部２０が内側壁部１３と相対向して延びてそれらの内外両側壁部１３，２０間が開口部２１で開放されている。この両挿着溝部９，１０はその延設方向Ｘに対し周方向へ１８０度の点対称的に並設され、図４（ｄ）及び図７（ｄ）に示すように、その延設方向Ｘの両側のうち、一方の側で挿脱口部１７，２２が形成されて互いに隣接しているとともに、他方の側で閉塞壁部１８，２３が形成されて互いに隣接している。この両挿脱口部１７，２２で外側壁部１５，２０には弾性を有する係止舌片２４が片持ち梁状に形成されている。この係止舌片２４の内側には突起２４ａが形成されている。なお、これらの外側壁部１５，２０には閉塞壁部１８，２３側寄りで挿着溝部９，１０内に連通する成形用貫通孔２５が形成されている。
【００２９】
前記両櫛歯群１１，１２のうち、一方の櫛歯群１１において、一方の挿着溝部９の外側壁部１５には、挿脱口部１７側及び閉塞壁部１８側で側枠部２６が突設されているとともに、この両側枠部２６間で多数の櫛歯２７が突設されている。また、他方の櫛歯群１２において、他方の挿着溝部１０の外側壁部２０には、挿脱口部２２側及び閉塞壁部２３側で側枠部２８が突設されているとともに、この両側枠部２８間で多数の櫛歯２９が突設されている。一方の櫛歯群１１の各櫛歯２７と他方の櫛歯群１２の各櫛歯２９とは挿着溝部９，１０の延設方向Ｘに対し傾斜する同一の延設方向Ｙへ延び、この各櫛歯２７の突出向きＹ２７と各櫛歯２９の突出向きＹ２９とはこの延設方向Ｙ上で互いに逆になっている。
【００３０】
図３（ａ）に示すように櫛部材７を鋏本体１の第一の刃体２から取り外した状態で、図３（ｂ）（ｃ）、図４（ａ）（ｂ）及び図５（ａ）（ｂ）に示すように鋏本体１の第一の刃体２を一方の挿着溝部９に対し挿脱口部１７から挿入すると、第一の刃体２の係止溝部２ｃに係止舌片２４の突起２４ａが係入されながら、第一の刃体２が閉塞壁部１８に当接して取付状態Ｒ１１となる。その取付状態Ｒ１１では、第一の刃体２の刃縁部２ａが一方の挿着溝部９の開口部１６から突出して一方の櫛歯群１１の各櫛歯２７に並び、その各櫛歯２７の延設方向Ｙが刃縁部２ａの延設方向Ｘの両側のうち閉塞壁部１８側へその延設方向Ｘに対し傾斜している。なお、一方の挿着溝部９に挿入された第一の刃体２を貫通孔２５から視認して、その挿入が完了したか否かを判別することができる。
【００３１】
また、図６（ａ）に示すように櫛部材７を鋏本体１の第一の刃体２から取り外した状態で、図６（ｂ）（ｃ）、図７（ａ）（ｂ）及び図８（ａ）（ｂ）に示すように鋏本体１の第一の刃体２を他方の挿着溝部１０に対し挿脱口部２２から挿入すると、第一の刃体２の係止溝部２ｃに係止舌片２４の突起２４ａが係入されながら、第一の刃体２が閉塞壁部２３に当接して取付状態Ｒ１２となる。その取付状態Ｒ１２では、第一の刃体２の刃縁部２ａが他方の挿着溝部１０の開口部２１から突出して他方の櫛歯群１２の各櫛歯２９に並び、その各櫛歯２９の延設方向Ｙが刃縁部２ａの延設方向Ｘの両側のうち挿脱口部２２側へその延設方向Ｘに対し傾斜している。なお、他方の挿着溝部１０に挿入された第一の刃体２を貫通孔２５から視認して、その挿入が完了したか否かを判別することができる。
【００３２】
このようにして、第一の刃体２に対する両櫛歯群１１，１２の位置を互いに変更すると、一方の櫛歯群１１の取付状態Ｒ１１と他方の櫛歯群１２の取付状態Ｒ１２とでは、第一の刃体２の刃縁部２ａの延設方向Ｘに対するそれらの櫛歯群１１，１２の櫛歯２７，２９の延設方向Ｙが互いに異なる。ちなみに、第一の刃体２の刃縁部２ａの延設方向Ｘに対し一方の櫛歯群１１の各櫛歯２７の延設方向Ｙがなす傾斜角度θ２７と、その延設方向Ｘに対し他方の櫛歯群１２の各櫛歯２９の延設方向Ｙがなす傾斜角度θ２９とは、それぞれ、その延設方向Ｘに沿う両側のうちそれらの櫛歯２７，２９の延設方向Ｙが傾斜する側で、３０度以上８０度以下に設定されている。
【００３３】
さて、右眉毛Ｈをカットする場合には、両櫛歯群１１，１２のうち一方の櫛歯群１１に対応する一方の挿着溝部９に第一の刃体２を挿着して櫛部材７を第一の刃体２に取り付け、例えば図９（ａ）、図３（ｃ）、図４（ｂ）及び図５（ｂ）に示すように、一方の櫛歯群１１の正面側を右眉毛Ｈに当てがって両刃体２，３を互いに開いたまま各櫛歯２７を右眉毛Ｈの下方からすくい入れ、両刃体２，３を開閉動させる。その際、一方の櫛歯群１１の各櫛歯２７の突出向きＹ２７が左傾斜になるとともに、右眉毛Ｈの向きＹＨが右傾斜になるため、各櫛歯２７を右眉毛Ｈの下方から抵抗を生じながら毛並みに逆らってすくい入れることができ、寝た毛を起こしてカットすることもできる。また、図１０（ａ）に示すように、図９（ａ）の状態にある一方の櫛歯群１１の正面側を左眉毛Ｈに当てがって両刃体２，３を互いに開いたまま各櫛歯２７を左眉毛Ｈの下方からすくい入れ、両刃体２，３を開閉動させることもできる。その際、一方の櫛歯群１１の各櫛歯２７の突出向きＹ２７が左傾斜になるとともに、右眉毛Ｈの向きＹＨも左傾斜になるため、各櫛歯２７を左眉毛Ｈの下方から左眉毛Ｈに沿うように滑らかにすくい入れることができ、毛並みを整えてカットすることもできる。
【００３４】
一方、左眉毛Ｈをカットする場合には、両櫛歯群１１，１２のうち他方の櫛歯群１２に対応する他方の挿着溝部１０に第一の刃体２を挿着して櫛部材７を第一の刃体２に取り付け、例えば図９（ｂ）、図６（ｃ）、図７（ｂ）及び図８（ｂ）に示すように、他方の櫛歯群１２の正面側を左眉毛Ｈに当てがって両刃体２，３を互いに開いたまま各櫛歯２９を左眉毛Ｈの下方からすくい入れ、両刃体２，３を開閉動させる。その際、他方の櫛歯群１２の各櫛歯２９の突出向きＹ２９が右傾斜になるとともに、左眉毛Ｈの向きＹＨが左傾斜になるため、各櫛歯２９を左眉毛Ｈの下方から抵抗を生じながら毛並みに逆らってすくい入れることができ、寝た毛を起こしてカットすることもできる。また、図１０（ｂ）に示すように、図９（ｂ）の状態にある他方の櫛歯群１２の正面側を右眉毛Ｈに当てがって両刃体２，３を互いに開いたまま各櫛歯２９を右眉毛Ｈの下方からすくい入れ、両刃体２，３を開閉動させることもできる。その際、他方の櫛歯群１２の各櫛歯２９の突出向きＹ２９が右傾斜になるとともに、右眉毛Ｈの向きＹＨも右傾斜になるため、各櫛歯２９を右眉毛Ｈの下方から右眉毛Ｈに沿うように滑らかにすくい入れることができ、毛並みを整えてカットすることもできる。
【００３５】
このようにして左眉毛Ｈ及び右眉毛Ｈをカットする場合以外にも、そのほかの体毛例えば頭髪特に鬢のカットに利用することもできる。また、両櫛歯群１１，１２のうち第一の刃体２の刃縁部２ａに並べた一方のもの以外の他方のものについては、体毛を梳く場合に利用することもできる。
【００３６】
本実施形態は下記の効果を有する。
＊  櫛部材７を第一の刃体２に対し着脱して両櫛歯群１１，１２の取付状態Ｒ１１，Ｒ１２を第一の刃体２に対し変更することにより、両櫛歯群１１，１２を使い分けて眉毛Ｈの向きの相違に応じて各櫛歯２７，２９の延設方向Ｙを変えることができる。従って、櫛付き鋏において眉毛Ｈをカットする際に使い勝手を良くすることができる。
【００３７】
＊  櫛部材７の両櫛歯群１１，１２において櫛歯２７，２９の延設方向Ｙを傾斜させたので、例えば眉毛Ｈの向き等の性質の相違や左眉毛Ｈの毛並みと右眉毛Ｈの毛並みとの相違などに応じて両櫛歯群１１，１２を使い分けることができ、使い勝手が良くなる。
【００３８】
＊  櫛部材７において、両櫛歯群１１，１２ごとに第一の刃体２が着脱可能に挿着される挿脱口部１７，２２を有する挿着溝部９，１０を周方向へ並設し、いずれかの挿着溝部９，１０に挿着された第一の刃体２で刃縁部２ａがそれらの挿着溝部９，１０から突出していずれかの櫛歯群１１，１２に並ぶ。従って、櫛部材７において両櫛歯群１１，１２の取付状態Ｒ１１，Ｒ１２を第一の刃体２に対し容易に変更することができるとともに、第一の刃体２に対する櫛部材７の取付構造を簡単にすることができる。
【００３９】
前記実施形態以外にも下記のように構成してもよい。
・  櫛部材７において櫛歯群１１，１２の性質とは、各櫛歯２７，２９の延設方向Ｙや各櫛歯２７，２９の太さや長さや断面形状や間隔などのような形態ばかりではなく、各櫛歯２７，２９の柔軟性や材質や表面処理なども含む。
【００４０】
・  図４（ｅ）及び図７（ｅ）に示すように、鋏本体１の第一の刃体２を一方の挿着溝部９や他方の挿着溝部１０に対し挿脱口部１７，２２から挿入した際、係止舌片２４の突起２４ａが第一の刃体２の外面に圧接されて櫛部材７の抜け止めになるようにしてもよい。
【００４１】
・  櫛部材において櫛歯群を取付部群の周方向へ三以上並設し、一つの櫛歯群を第一の刃体の刃縁部に並べる。
・  櫛部材において両刃体の開閉方向を含む面上で三以上の櫛歯群を放射状に並設し、一つの櫛歯群を第一の刃体の刃縁部に並べる。
【００４２】
・  櫛部材において両櫛歯群を第一の刃体の刃縁部の延設方向に沿って並設し、一つの櫛歯群を第一の刃体の刃縁部に並べる。
・  櫛部材の櫛歯群において、第一の刃体の刃縁部の延設方向に対し各櫛歯の延設方向がなす角度や、各櫛歯の長さや、各櫛歯の太さや、各櫛歯の間隔を刃縁部の延設方向に沿って変化させる。
【００４３】
・  図４（ｃ）及び図７（ｃ）に示すように両挿着溝部９，１０において第一の刃体２で刃縁部２ａと背縁部２ｂとを結ぶ内外両面間中心面をＺとした場合、その中心面Ｚが各櫛歯２７，２９から離れる側へ傾斜するように両挿着溝部９，１０の内面形状を変更する。それにより各櫛歯２７，２９が撓んでも第一の刃体２の刃縁部２ａや第二の刃体３に接触しにくくなる。
【００４４】
・  櫛部材に設けた一つの取付部に対し複数の櫛歯群を回動可能または摺動可能に支持し、第一の刃体に対する各櫛歯群の位置を変更可能にする。
・  櫛部材に設けた一つの取付部に対し一つの櫛歯群を傾動可能に支持し、第一の刃体の刃縁部の延設方向に対する各櫛歯の傾斜角度を変更可能にする。
【００４５】
・  櫛部材において同じ性質を有する複数の櫛歯群を設け、一つの櫛歯群を利用した後は他の櫛歯群を予備として利用する。
・  櫛部材７の両櫛歯群１１，１２において、両側枠部２６，２８の間隔を約２３ｍｍ、各櫛歯２７，２９の長さを約９ｍｍに設定し、これらを用途に応じて変更することができる。
【００４６】
・  櫛部材７において第一の刃体２に対する取付部としては、挿着溝部９，１０以外に、例えば、第一の刃体に対し着脱可能に吸着される磁石や、第一の刃体の面ファスナーに対し着脱可能に連結される面ファスナーや、第一の刃体に対し着脱可能に螺合される雌ねじまたは雄ねじや、第一の刃体に対し着脱可能に挿着される係止軸または係止孔や、第一の刃体を着脱可能に挟持するクリップ部などであってもよい。
【００４７】
・  複数組の櫛歯群及び取付部からなる櫛部材を、一つの櫛歯群及び取付部からなる一組ごとに易損部で折って分離し、その各組をそれぞれ単独でも利用する。
・  複数組の櫛歯群及び取付部からなる櫛部材を、一つの櫛歯群及び取付部からなる一組ごとに互いに分離して成形し、その各組をそれぞれ単独で利用したり、その各組を連結部で互いに着脱可能に連結して利用する。
【００４８】
・  前記実施形態では右利き用の鋏本体１とそれに合わせた櫛部材７とを例示したが、左利き用の鋏本体に変更するとともに櫛部材の取付部群や櫛歯群を左利き用に変更してもよい。例えば、右利き用の櫛付き鋏を鏡に写した場合に生じる像の形態を左利き用の櫛付き鋏とする。
【図面の簡単な説明】
【００４９】
【図１】本実施形態にかかる鋏本体の開状態を示す正面図である。
【図２】（ａ）は本実施形態にかかる櫛部材を示す正面図であり、（ｂ）は同じく背面図であり、（ｃ）は同じく右側面図であり、（ｄ）は同じく左側面図である。
【図３】（ａ）は櫛部材の両櫛歯群のうち一方の櫛歯群にある挿着溝部を閉状態の鋏本体から取り外した状態を示す分解正面図であり、（ｂ）はその挿着溝部を閉状態の鋏本体に取り付けた状態を示す組付正面図であり、（ｃ）は（ｂ）の組付背面図である。
【図４】（ａ）は図３（ｂ）の拡大組付正面図であり、（ｂ）は図３（ｃ）の拡大組付背面図であり、（ｃ）は（ａ）のＡ１−Ａ１線拡大断面図であり、（ｄ）は（ａ）のＡ２−Ａ２線部分拡大断面図であり、（ｅ）は別例にかかる部分拡大断面図である。
【図５】（ａ）は図３（ｂ）の鋏本体を開状態にした拡大組付正面図であり、（ｂ）は図３（ｃ）の鋏本体を開状態にした拡大組付背面図である。
【図６】（ａ）は櫛部材の両櫛歯群のうち他方の櫛歯群にある挿着溝部を閉状態の鋏本体から取り外した状態を示す分解正面図であり、（ｂ）はその挿着溝部を閉状態の鋏本体に取り付けた状態を示す組付正面図であり、（ｃ）は（ｂ）の組付背面図である。
【図７】（ａ）は図６（ｂ）の拡大組付正面図であり、（ｂ）は図６（ｃ）の拡大組付背面図であり、（ｃ）は（ａ）のＢ１−Ｂ１線拡大断面図であり、（ｄ）は（ａ）のＢ２−Ｂ２線部分拡大断面図であり、（ｅ）は別例にかかる部分拡大断面図である。
【図８】（ａ）は図６（ｂ）の鋏本体を開状態にした拡大組付正面図であり、（ｂ）は図６（ｃ）の鋏本体を開状態にした拡大組付背面図である。
【図９】（ａ）（ｂ）はそれぞれ本実施形態にかかる櫛付き鋏の使用状態図である。
【図１０】（ａ）（ｂ）はそれぞれ本実施形態にかかる櫛付き鋏の使用状態図である。
【符号の説明】
【００５０】
１…鋏本体、２…第一の刃体、２ａ…刃縁部、３…第二の刃体、３ａ…刃縁部、７…櫛部材、９，１０…取付部としての挿着溝部、１１，１２…櫛歯群、２７，２９…櫛歯、Ｒ１１，Ｒ１２…櫛歯群の取付状態（位置）、Ｙ…櫛歯の延設方向、Ｘ…第一の刃体の刃縁部の延設方向。
【図１】
2008212202.tif 000003
【図２】
2008212202.tif 000004
【図３】
2008212202.tif 000005
【図４】
2008212202.tif 000006
【図５】
2008212202.tif 000007
【図６】
2008212202.tif 000008
【図７】
2008212202.tif 000009
【図８】
2008212202.tif 000010
【図９】
2008212202.tif 000011
【図１０】
2008212202.tif 000012